(57)【要約】【課題】クリティカル動作状態の発生時、特に、故障状態または過負荷状態への過電圧保護デバイスの遷移の発生時に、スイッチギアまたはバックアップヒューズから独立して、電源から過電圧保護デバイスを安全に取り外すための構成であって、過電圧保護デバイスを通って流れる電流を検知するためのデバイスと、過電圧保護デバイスに直列で接続されたスイッチング装置とからなる、構成に関する。【解決手段】過電圧保護デバイスを通って流れる電流を検知するためのデバイスは、強磁性コアを有するかまたは有しないトロイダルコイルの形態をとり、そのトロイダルコイルは、イベントに依存するサージ電流と異なる中程度の振幅の故障電流が検出可能であるように設計される。トロイダルコイルは、インジケータデバイスまたは類似の手段に電気的に接続され、そのインジケータは、スイッチング装置をトリガするために、スイッチング装置に機械的に接続される。【選択図】図１
2018526964.tif 000002
【特許請求の範囲】
【請求項１】
クリティカル動作状態の発生時、特に、故障状態または過負荷状態への過電圧保護デバイス（ＳＰＤ）の遷移の発生時に、スイッチギアまたはバックアップヒューズから独立して、電源から該過電圧保護デバイス（ＳＰＤ）を安全に取り外すための構成であって、該過電圧保護デバイスを通って流れる電流を検知するためのデバイスと、該過電圧保護デバイスに直列で接続されたスイッチング装置（７）とからなる、構成において
該過電圧保護デバイスを通って流れる該電流を検知するためのデバイスは、強磁性コアを有するかまたは有しないトロイダルコイル（１）として形成され、その設計は、事象に依存するサージ電流と異なる中程度の振幅の故障電流が検出可能であるようになっており、該トロイダルコイル（１）は、インジケータヒューズ（５）と電気通信し、そのインジケータが、該スイッチング装置（７）をトリガするために該スイッチング装置（７）に機械的に接続されていることを特徴とする、構成。
【請求項２】
前記インジケータヒューズ（５）の前記インジケータは、力をブーストする機械的デバイス（６）を介して前記スイッチング装置（７）に接続されることを特徴とする、請求項１記載の構成。
【請求項３】
前記トロイダルコイル（１）と、前記スイッチング装置（７）と、特にバリスタ（２）として形成される少なくとも１つの過電圧アレスタとを備える構築ユニットによって特徴付けられる、請求項１または２記載の構成。
【請求項４】
前記トロイダルコイル（１）は、前記過電圧保護デバイスが前記低インピーダンス状態への高速遷移を行うときに生じ得る、数十Ａ〜数ｋＡの範囲の故障電流を検出することを特徴とする、請求項１〜３のいずれか１項記載の構成。
【請求項５】
電流トランスとして形成されるローパス回路（３）および／またはトランスデューサ（４）が、前記トロイダルコイル（１）と前記インジケータヒューズ（５）との間に設けられることを特徴とする、請求項１〜４のいずれか１項記載の構成。
【請求項６】
前記トロイダルコイル（１）は、サージ電流が生じたときに飽和範囲に入るように形成されることを特徴とする、請求項１〜５のいずれか１項記載の構成。
【請求項７】
力をブーストするためにトグルレバードライブ（６）が設けられることを特徴とする、請求項２〜６のいずれか１項記載の構成。
【発明の詳細な説明】
【技術分野】
【０００１】
本発明は、請求項１による、クリティカル動作状態時、特に、故障状態または過負荷状態への過電圧保護デバイスの遷移時に、スイッチギアまたはバックアップヒューズから独立して、電源から過電圧保護デバイスを安全に取り外すための構成であって、過電圧保護デバイスを通って流れる電流を検知するためのデバイスと、過電圧保護デバイスと直列に接続されたスイッチング装置とからなる、構成に関する。
【背景技術】
【０００２】
文献ＥＰ０３２６９０３Ａ１から、シャント経路においてバリスタを用いた電気設備における過電圧に対する保護デバイスが既に知られており、バリスタは、役割として、正しい動作と一致していない漏れ電流の増大について監視デバイスによって監視され、必要な場合、オフに切り替えられる。
【０００３】
特に、相導体は、トランスおよびバリスタ、ならびにカットオフデバイスの開閉接点によって接地される。
【０００４】
本トランスは、バリスタを通って流れる電流を、好ましい検出範囲になるように変換する。
【０００５】
実際の監視デバイスは、トランスの二次回路内にあり、電流検知部材と、この監視デバイスとの通信における時間記録部材とを備える。
【０００６】
特定された電流が閾値以上であるとき、出力はトリップ信号を発し、このトリップ信号がＡＮＤゲートに供給される。閾値の超過が、閾値の所定時間ｔを超えているとき、時間記録部材は同様に信号を放ち、この信号がＡＮＤゲートに達する。双方の信号がＡＮＤゲートに適用されるとき、トリップ信号はその出力において利用可能であり、このトリップ信号により、カットオフデバイスにおいて、トリガ手段が応答し、その結果、上述した開閉接点が開放される。既知の保護デバイスによって、バリスタを不必要にカットオフせず、このため、過電圧保護を制限することが可能である。むしろ、電流負荷の特定の所定の持続時間の超過により、追加の判断基準として実際のトリッププロセスが決まるという点で、用いられるバリスタの特性の監視が拡張される。
【０００７】
時間応答自体がクリティカルでない場合の漏れ電流が、既知の手法において０．１ｍＡ〜１０ｍＡの範囲で検出可能であることは事実である。しかしながら、最大で数ｋＡの中程度の振幅の漏れ電流が生じ得る低インピーダンス状態への非常に高速な遷移時に関して過電圧保護デバイスを監視することは可能でない。そのような電流は、非常に高エネルギーであり、対応する設備または施設において危険な状況となり得る。
【０００８】
文献ＤＥ１０２００９００４６７３Ａ１は、少なくとも１つの過電圧制限構成要素、特に、スパークギャップまたはバリスタを有する過電圧プロテクタ要素を示す。過電圧制限構成要素を通って流れる電流を検出する監視構成要素は、過電圧制限構成要素に関連付けられる。更に、監視構成要素の信号は、放電経路から直流的に絶縁された評価ユニットに供給される。
【０００９】
監視構成要素は、放電経路に誘導結合されたコイルとして形成することができる。
【００１０】
既知の解決策により、過電圧制限構成要素の負荷が、動作中に検出することができるので、不具合が生じる前に負荷に関する申告を最終的に行うことができる。その目的は、以前に損傷を受けた過電圧保護デバイスを適切な時点に特定し、交換することが可能とすることである。
【００１１】
過負荷である可能性が高い過電圧制限構成要素を自動的にカットオフするためのオプションは、ＤＥ１０２００９００４６７３Ａ１において提供されていない。
【００１２】
過電圧保護デバイスは、危険な過電圧に対し電気設備を保護するために用いられることが既知であり、この点で低電圧ネットワークに接続される。例えば、電圧変動、一時的過電圧または複数の放電プロセス等の電気的影響は、過負荷のみでなく、保護デバイスの突然の寿命の終了にもつながり得る。
【００１３】
しかし、そのような保護デバイスの寿命の終了は、例えば、動作電流または漏れ電流の増大において現れる場合もある。この漏れ電流が、例えば数秒の範囲で徐々に増大する場合、これにより、電力損失の増加に起因して、用いられる保護構成要素、例えばバリスタの加熱が生じる。
【００１４】
上記で示した障害状態が確実に制御されるようにバリスタを構成することが既知である。これに関しては熱分離デバイスが既知である。
【００１５】
しかしながら、過電圧保護デバイスが、定格電圧の誤った選択、または予期せず高いパルス電流によって過負荷を受け、用いられる過電圧保護構成要素が突然、そして完全に故障する、すなわち、これにより低インピーダンス状態または短絡状態に遷移する場合、印加される供給電圧により、故障電流が過電圧保護デバイスを通る場合があり、これにより、発火または爆発等の危険な状態が生じる。これを防ぐために、通常、エネルギーフローの方向において上流に接続されたヒューズまたはスイッチング装置の下流にのみ過電圧保護デバイスが用いられる。
【００１６】
そのようなヒューズまたはスイッチング装置のトリガは、生じている故障および／または短絡電流とは無関係に行われるが、多くの場合に、想定の電流または負荷に依存する。既知のスイッチング装置はまた、多くの場合、動作電流のために設計されるため、信頼性のある過電圧保護デバイスの分離は多くの場合、適切な時点に行われず、その結果、過電圧保護デバイス自体または設置場所に対する損傷が記録されることになる。
【００１７】
この場合、特に、数十Ａ〜最大で数ｋＡの範囲の中程度の振幅の故障電流が特にクリティカルであることが明らかとなった。なぜなら、これらは上流の保護部材、すなわちヒューズまたはスイッチング装置をトリガしないか、またはトリガするのが遅すぎるためである。
【００１８】
過電圧保護デバイスにおける既知の熱分離デバイスは、ミリアンペアから数アンペアの範囲で漏れ電流を制御するように実現される。そのような熱的にトリガする分離デバイスは、応答が比較的低速であるため、過電圧保護デバイスが低インピーダンス状態に非常に高速に遷移するとき、１０Ａ〜最大で数ｋＡの範囲の上述した漏れ電流をカットオフすることができない。
【００１９】
そのような小さな故障電流は、低電圧ネットワークに給電する短絡回路電力が低いか、または発生する短絡回路電力が、それぞれの過電圧保護構成要素、例えばバリスタの残りの残存している抵抗によって大幅に制限されるときには常に生じることになる。
【発明の概要】
【発明が解決しようとする課題】
【００２０】
上述したことから、本発明の課題は、クリティカル動作状態の発生時に、スイッチギアまたはバックアップヒューズと無関係に、電源から過電圧保護デバイスを安全に取り外すための更なる発展した構成であって、スイッチング装置が、一方で放電経路において高サージ電流を搬送し、他方で時間遅延なしでアンペア範囲の故障電流をカットオフするようにスイッチング装置を駆動することが可能な構成を提案することである。これを行う際、用いられる過電圧保護デバイスの反応停止機能および／または放電機能に不利な影響は回避されるべきである。
【００２１】
本発明の課題は、請求項１に記載の特徴の組み合わせによる構成によって解決され、従属請求項は、少なくとも、適切な構造および更なる発展形態を表す。
【課題を解決するための手段】
【００２２】
本発明によれば、実際の放電経路を流れる電流の一部分は、適切な誘導結合によってその放電経路から分離され、次に再び溶融ヒューズ、例えばインジケータヒューズに供給され、過負荷時にこのヒューズを溶融させ、ここで、それ自体既知であり存在しているスイッチング装置を、結合された機械的動作によってトリガすることができる。
【００２３】
電流を分離するのに用いられる手段、特にトロイダルコイルの設計は、この場合、例えば、Ｗ／Ｈ特性および飽和挙動等の磁気特性を方向づけることによって、サージ電流対故障電流の区別に選択的に適合させることができる。
【００２４】
好ましくはローパスフィルタとして形成される、更なるフィルタ構成要素が、様々なパルス形状の放電電流と、供給周波数故障電流との間で必要な差異を改善する。
【００２５】
フィルタ構成要素は、この場合、急峻パルス、例えば、サージ電流パルスを制御することが意図される。飽和挙動の点で、電流を分離するために優先的に用いられるトロイダルコイルの飽和は、サージ電流を制限するように意図されるが、小さな電流に対しては線形構造であるべきである。換言すれば、高いサージ電流において、コイルの飽和が開始する必要がある。
【００２６】
このため、スイッチング装置が、高サージ電流を搬送することができるが、アンペア範囲の比較的小さな故障電流をカットオフすることもできるようにしてスイッチング装置の駆動および構成を実施することが可能である。
【００２７】
機械的特性、特に、スイッチングシステムの力伝達または調整可能な緩慢さを設計することによって、異なるサージ電流挙動および故障電流挙動の点で適切な適合を行う補足的オプションが存在する。
【００２８】
ここで、サージ電流の場合に応答しない、故意に遅い応答の機械的システムを構築することができ、これはタイムラグヒューズにある意味類似している。
【００２９】
優先的に用いられるトロイダルコイルは、更に、電源電位および／または過電圧電位を受ける保護デバイスにおける導電構成要素と、スイッチング装置の機械的作動との間の直流的な分離を確実にする。
【００３０】
高サージ電流を放電する際のトリガ回路の過負荷は、用いられるコイル、特に、内部で用いられる磁気コアの優先的に達成される飽和によって回避される。
【００３１】
高サージ電流値での飽和を有するトロイドコアコイルまたはトロイダルコアコイルの使用により、更に、過電圧保護デバイスの保護レベルの僅かな増大のみが結果として生じることが確実にされる。
【００３２】
過電圧保護デバイスを通って流れる電流を検知するための本発明のデバイスは、好ましくは、既に説明したように、強磁性コアを有するかまたは有しないトロイダルコイルとして形成される。トロイダルコイルの設計は、イベントに依存したサージ電流と異なる中程度の振幅の故障電流が検出可能であるようになっている。
【００３３】
トロイダルコイルは、インジケータヒューズまたは類似の手段と電気通信する。インジケータヒューズのインジケータは、スイッチング装置をトリガするためにスイッチング装置に機械的に接続される。
【００３４】
本発明の設計において、デバイスを介してスイッチング装置にインジケータを接続して機械的力を高めるオプションが存在する。
【００３５】
更に、本発明によれば、トロイダルコイルと、スイッチング装置と、少なくとも１つの過電圧アレスタとを備え、特にバリスタとして形成される構造ユニットが存在する。
【００３６】
トロイダルコイルは、過電圧保護デバイスが低インピーダンス状態への高速変換を行っているときに生じる場合がある、数十Ａ〜数ｋＡの範囲の故障電流を検出することが可能であり、それによって、この場合、電源からの安全な分離が可能になる。
【００３７】
本発明は、例示的な実施形態および図面を基にして、以下でより詳細に説明される。
【図面の簡単な説明】
【００３８】
【図１】本発明による過電圧保護デバイスＳＰＤの構成のブロック図を示す。
【発明を実施するための形態】
【００３９】
過電圧保護デバイスＳＰＤは、電流導体の回りに配置されたトロイダルコアコイル１と、電流導体に直列に接続され、そして保護構成要素、例えば金属酸化物バリスタ２と直列にされたスイッチング装置７とを備え、好ましくは構造ユニットとして形成される。
【００４０】
トロイダルコイル１は、その端子によってローパス回路３の入力と通信し、そのローパス回路３は、出力側で電流トランス／トランスデューサ４に通じている。
【００４１】
出力側の電流トランス／トランスデューサ４の二次側において、インジケータヒューズ、またはスプリングプリロードを有する溶融導体が形成される。
【００４２】
機械的には、インジケータヒューズ５は、例えば、スプリングプリロードを有するトグルレバードライブ６として形成されるパワーブースタと通信する。レバードライブは、スイッチング装置７に対し作用し、関連する電気条件が生じたときに、スイッチング装置７を開放状態に変換することが可能である。
【００４３】
トロイダルコイル１は、実際の放電路から、この放電路を流れる電流の一部分を分離する。この分離された電流は、様々なパルス形状の放電電流と電源周波数の故障電流とを区別するためにローパス回路３に供給され、オプションのトランスデューサ４によってそのような出力電流に適合され、インジケータヒューズ５が定義された方式で応答するようにする。
【００４４】
トロイダルコアコイル１のトロイダルコアの設計は、過電圧保護デバイスＳＰＤの放電路への単純な統合のオプションを確保する。ここで、一次側には低い誘導性のみが存在し、結果として、過電圧保護デバイスの保護レベルが僅かにのみ増大する。
【００４５】
提供されるトグルレバードライブ６の力増幅によって、スイッチング装置７の高速かつ安全な開放が達成される。
2018526964.tif 000003
【国際調査報告】
2018526964.tif 000004
2018526964.tif 000005
2018526964.tif 000006
2018526964.tif 000007
2018526964.tif 000008